(57)【要約】      （修正有）【課題】電子機器上（パーソナルコンピュータを含む）で利用するPDFをはじめとする画像、動画、音楽・音声及び書類などの著作物並びに個人情報など機密情報を含むファイルが、不正に利用されることを簡便かつ確実に防止する。【解決手段】電子機器上（パーソナルコンピュータを含む）で利用する著作物ならびに機密情報を含むファイルを暗証化し、所属を特定するなどの方法を駆使した制限情報を付加することで、不正利用を禁止し、インターネット上及び電子機器上（パーソナルコンピュータを含む）のローカルネットワーク上で、著作物ならびに機密情報を含むファイルを簡単にかつ確実に保護することを可能にする。【選択図】図１
2009288907.tif 000002
【特許請求の範囲】
【請求項１】
電子機器（パーソナルコンピュータを含む）上で利用するPDFをはじめとする画像、動画並びに音楽・音声及び書類ファイルをインターネット及び電子機器（パーソナルコンピュータを含む）上で複製防止するための命令複合埋め込み式暗証化技術及び複製制御システム。
【発明の詳細な説明】
【技術分野】
【０００１】
本発明は電子機器（パーソナルコンピュータを含む）を利用する際のインターネット上もしくはローカルネットワーク上でデータを暗証化して画像、動画並びに音楽・音声及び書類ファイルを閲覧することまたは複製・加工することを制限することが簡易に行えないインターネット上もしくはコンピュータのローカルネットワーク上の環境に属する。
【背景技術】
【０００２】
近年、パーソナルコンピュータの普及とインターネットの活発な活用により、電子機器上（パーソナルコンピュータを含む）で利用する画像、動画並びに音楽・音声及び書類ファイルなどのすべての著作物や個人情報を含むファイルなどが不正に複製され再利用されているのが実情である。
現在の複製制御の方法は、電子機器上（パーソナルコンピュータを含む）の双方に暗証鍵のようなファイルや条件を与えて認証をとり合う方法での複製制御は存在するが、サーバー等の機器を含めて大規模の投資を必要とし普及に障害がある。他のソフトによる不正利用を抑制するマークや文字などを合成した複製制御方法は、簡易にできるが現物の著作物や個人情報を含むファイルの実態が損なわれる。簡易にソフトでの制御は実態を隠すのみにとどまっている。
【発明の開示】
【発明が解決しようとする課題】
【０００３】
電子機器上（パーソナルコンピュータを含む）で利用するPDFをはじめとする画像、動画並びに音楽・音声及び書類ファイルなどのすべての著作物並びに個人情報を含むファイルなどが、不正に利用されないように制限し、簡易に提供することである。
【課題を解決するための手段】
【０００４】
電子機器上（パーソナルコンピュータを含む）で利用するPDFをはじめとする画像、動画並びに音楽・音声及び書類ファイルなどのすべての個人情報を含むファイルを暗証化し所属を特定するなどの方法などの方法を駆使した制限情報を付加しファイル化することで、不正利用を禁止しインターネット上及び電子機器上（パーソナルコンピュータを含む）のローカルネットワーク上でPDFをはじめとする画像、動画並びに音楽・音声及び書類ファイルなどのすべての個人情報を含むファイルファイルを簡単にかつ確実に保護するし、現在の複製制御の方法は、電子機器上（パーソナルコンピュータを含む）の双方に暗証鍵のようなファイルや条件を与えて認証をとり合う方法での複製制御方法と違い一台で複製保護を実施することが可能な点である。
【発明の効果】
【０００５】
本発明を利用することによって、今まで不正に使用されていた著作物並びに個人情報を含む著作物を簡易にそして確実に保護することが可能となる。
また本発明の利用で、本発明のシステム利用した部分にのみ保護が可能となるため、一部を保護し一部を保護しないことが可能となる。
【発明を実施するための最良の形態】
【０００６】
電子機器上（パーソナルコンピュータを含む）で利用するPDFをはじめとする画像、動画並びに音楽・音声及び書類ファイルに暗証化を施す段階で実ファイルを特定の所属であること並びに使用の制限などを施し、電子機器上（パーソナルコンピュータを含む）の双方に暗証鍵のようなファイルや条件を与えて認証をとり合うことなく電子機器上（パーソナルコンピュータを含む）で使用の制限を施すものである。
【０００７】
電子機器上（パーソナルコンピュータを含む）で利用するPDFをはじめとする画像、動画並びに音楽・音声及び書類ファイルに暗証化を施す段階で実ファイルを特定の所属であること並びに使用の制限などを施し、電子機器上（パーソナルコンピュータを含む）の双方に暗証鍵のようなファイルや条件を与えて認証をとり合うことなく電子機器上（パーソナルコンピュータを含む）で使用の制限を施す方法を見出した。
【実施例１】
【０００８】
図−１は電子機器上（パーソナルコンピュータを含む）で利用するPDFをはじめとする画像、動画並びに音楽・音声及び書類ファイルに暗証化を施す段階で実ファイルを特定の所属であること並びに使用の制限などを施し、電子機器上（パーソナルコンピュータを含む）の双方に暗証鍵のようなファイルや条件を与えて認証をとり合うことなく電子機器上（パーソナルコンピュータを含む）で使用の制限を施す方法の初期ファイル加工技術詳細説明である。
画像、動画並びに音楽・音声及び書類ファイルや他のソフトで加工された画像、動画並びに音楽・音声及び書類ファイルなどの情報ファイルを表に示す工程で使用の制限を施す。
図−２は電子機器上（パーソナルコンピュータを含む）で利用するPDFをはじめとする画像、動画並びに音楽・音声及び書類ファイルに暗証化を施す段階で実ファイルを特定の所属であること並びに使用の制限などを施し、電子機器上（パーソナルコンピュータを含む）の双方に暗証鍵のようなファイルや条件を与えて認証をとり合うことなく電子機器上（パーソナルコンピュータを含む）で使用の制限を施す方法の閲覧詳細説明である。
画像、動画並びに音楽・音声及び書類ファイルや他のソフトで加工された画像、動画並びに音楽・音声及び書類ファイルなどに制限を施した最終システム埋め込みファイルを図―２の方法により閲覧可能な状態にするものである。
【０００９】
図−３は電子機器上（パーソナルコンピュータを含む）で利用するPDFをはじめとする画像、動画並びに音楽・音声及び書類ファイルに暗証化を施す段階で実ファイルを特定の所属であること並びに使用の制限などを施し、電子機器上（パーソナルコンピュータを含む）の双方に暗証鍵のようなファイルや条件を与えて認証をとり合うことなく電子機器上（パーソナルコンピュータを含む）で使用の制限を施す方法の閲覧者の初期ファイル加工の解除が可能な閲覧並びに複製制限の説明である。
画像、動画並びに音楽・音声及び書類ファイルや他のソフトで加工された画像、動画並びに音楽・音声及び書類ファイルなどに制限を施した最終システム埋め込みファイルを図―３のように電子機器上（パーソナルコンピュータを含む）における制御と電子機器（パーソナルコンピュータを含む）上で稼働するソフトに対する制御の説明である。
【産業上の利用可能性】
【００１０】
現在の複製制御の方法は、電子機器上（パーソナルコンピュータを含む）の双方に暗証鍵のようなファイルや条件を与えて認証をとり合う方法での複製制御は存在するが、サーバー等の機器を含めて大規模の投資を必要とし普及に障害がある。他のソフトによる不正利用を抑制するマークや文字などを合成した複製制御方法は、簡易にできるが現物の著作物や個人情報を含むファイルの実態が損なわれる。簡易にソフトでの制御は実態を隠すのみにとどまっている。
一般企業や官公庁、団体、個人などがインターネットや電子機器上（パーソナルコンピュータを含む）などで商品やサービス及び情報の公開はしたいが複製はさせたくないすべての用途に本発明を利用することで、インターネットや電子機器上（パーソナルコンピュータを含む）などでの情報の制御が可能となるため、既存の上記の複製させたくないすべての用途の利用はいうまでもなく、現在複製の危険があるために公開していない歌手・俳優・タレントなどの肖像権、芸術などの著作物情報などの公開のための利用にも有効である。
【図面の簡単な説明】
【００１１】
【図１】は電子機器上（パーソナルコンピュータを含む）で利用するPDFをはじめとする画像、動画並びに音楽・音声及び書類ファイルに暗証化を施す段階で実ファイルを特定の所属であること並びに使用の制限などを施し、電子機器上（パーソナルコンピュータを含む）の双方に暗証鍵のようなファイルや条件を与えて認証をとり合うことなく電子機器上（パーソナルコンピュータを含む）で使用の制限を施す方法の初期ファイル加工技術詳細説明である。下記手段で画像、動画並びに音楽・音声及び書類ファイルや他のソフトで加工された画像、動画並びに音楽・音声及び書類ファイルなどの情報ファイルを表に示す工程で使用の制限を施す。                                    記電子機器上（パーソナルコンピュータを含む）で利用するPDFをはじめとする画像、動画並びに音楽・音声及び書類ファイル1.    基礎情報データの抜取2.    基礎情報データの暗唱化3.      ・利用範囲の制限3.      ・通信上の制限3.      ・利用機器への制限3.      ・利用個人への制限3.  ・情報利用の制限3.      ・利用期間の制限3.      ・制御範囲の制限3.  （※部分または全体）4.    暗唱化と制限情報の結合5.    最終システム埋め込みファイルの制作の完了
【００１２】
【図２】は電子機器上（パーソナルコンピュータを含む）で利用するPDFをはじめとする画像、動画並びに音楽・音声及び書類ファイルに暗証化を施す段階で実ファイルを特定の所属であること並びに使用の制限などを施し、電子機器上（パーソナルコンピュータを含む）の双方に暗証鍵のようなファイルや条件を与えて認証をとり合うことなく電子機器上（パーソナルコンピュータを含む）で使用の制限を施す方法の閲覧詳細説明である。画像、動画並びに音楽・音声及び書類ファイルや他のソフトで加工された画像、動画並びに音楽・音声及び書類ファイルなどに制限を施した最終システム埋め込みファイルを下記の方法により閲覧可能な状態にするものである。                                    記電子機器上（パーソナルコンピュータを含む）で利用するPDFをはじめとする画像、動画並びに音楽・音声及び書類ファイル最終システム埋め込みファイル1.     閲覧情報データのみの読取2.       ・利用範囲の制限2.      ・通信上の制限2.      ・利用機器への制限2.      ・利用個人への制限2.  ・情報利用の制限2.      ・利用期間の制限2.      ・制御範囲の制限2.  （※部分または全体）3.     暗唱化と閲覧情報の結合4.     閲覧情報データ暗唱化解除5.     情報ファイル閲覧可能状態
【００１３】
【図３】は電子機器上（パーソナルコンピュータを含む）で利用するPDFをはじめとする画像、動画並びに音楽・音声及び書類ファイルに暗証化を施す段階で実ファイルを特定の所属であること並びに使用の制限などを施し、電子機器上（パーソナルコンピュータを含む）の双方に暗証鍵のようなファイルや条件を与えて認証をとり合うことなく電子機器上（パーソナルコンピュータを含む）で使用の制限を施す方法の閲覧者の初期ファイル加工の解除が可能な閲覧並びに複製制限の説明である。画像、動画並びに音楽・音声及び書類ファイルや他のソフトで加工された画像、動画並びに音楽・音声及び書類ファイルなどに制限を施した最終システム埋め込みファイルを図―３のように電子機器上（パーソナルコンピュータを含む）における制御と電子機器上（パーソナルコンピュータを含む）で稼働するソフトに対する制御は下記の通りである。                                  記電子機器上（パーソナルコンピュータを含む）で利用するPDFをはじめとする画像、動画並びに音楽・音声及び書類ファイルの処理解除１  電子機器上（パーソナルコンピュータを含む）における制御1.    印刷制御2.    エキスポート制御3.    複製制御4.    複製・転送制御5.    編集制御6.    表示複製制御7.    転送制御8.    他機接続装置への転送制御9.    他機への転送制御    ２  電子機器上（パーソナルコンピュータを含む）上で稼働するソフトに対する制御1.    印刷制御2.    エキスポート制御3.    複製制御4.    複製・転送制御5.    編集制御6.    表示複製制御7.    転送制御8.    他機接続装置への転送制御9.    他機への転送制御
【図１】
2009288907.tif 000003
【図２】
2009288907.tif 000004
【図３】
2009288907.tif 000005